(57)【要約】【課題】  内部のメモリがカメラで撮像した画像データ以外のデータの書込処理や再生処理のために使用されている場合でも、カメラで撮像した画像データを保存できるようにする。【解決手段】  ＣＰＵ１は、カメラ部１０から入力された画像データをメモリ１１に保存する操作がされたときに、メモリ１１に対して他のデータの書込処理および読出処理が行なわれている場合、例えば、ＲＦブロック４で受信したメール又はテレビ映像部で受信した映像のデータの書込処理および読出処理が行なわれている場合には、カメラ部１０から入力された画像データをパソコン、サーバ、指定の携帯電話などの特定の外部装置に転送する。【選択図】  図１
2005109815.tif 000002
【特許請求の範囲】
【請求項１】
通信網を介して外部装置との間でデータの送受信を行う通信手段と、
操作に応じて撮像された被写体の画像データを入力する撮像手段と、
前記撮像手段から入力された画像データを所定の記憶手段に記憶する操作がされたときに、前記記憶手段に対するデータの書込処理および読出処理が行なわれている場合には、前記入力された画像データを前記通信手段によって特定の外部装置に転送する転送制御手段と、
を備えた通信端末装置。
【請求項２】
前記転送制御手段は、前記入力された画像データを転送する場合には、所定の表示手段に複数の外部装置からなる転送先リストを表示し、操作によって選択された外部装置を前記入力された画像データの転送先として指定することを特徴とする請求項１記載の通信端末装置。
【請求項３】
通信網を介して外部装置との間でデータの送受信を行う通信手段および操作に応じて撮像された被写体の画像データを入力する撮像手段を備えた通信端末装置における信号処理のプログラムであって、
所定の記憶手段に対するデータの書込処理および読出処理を行う第１のステップと、
前記撮像手段から入力された画像データを前記記憶手段に記憶する操作がされたときに、前記第１のステップによって前記記憶手段に対する書込処理又は読出処理が行なわれている場合には、前記入力された画像データを前記通信手段によって特定の外部装置に転送する第２のステップと、
を実行することを特徴とする信号処理のプログラム。
【請求項４】
前記第２のステップは、前記入力された画像データを転送する場合には、所定の表示手段に複数の外部装置からなる転送先リストを表示し、操作によって選択された外部装置を前記入力された画像データの転送先として指定することを特徴とする請求項３記載の信号処理のプログラム。
【発明の詳細な説明】
【技術分野】
【０００１】
本発明は、通信端末装置およびその信号処理のプログラムに関し、特に、地上波ディジタル放送などのテレビジョン放送を受信可能な通信端末装置およびその信号処理のプログラムに関するものである。
【背景技術】
【０００２】
近年、携帯電話などの通信端末装置の機能に関するものとして、電話やメールの送受信の機能のほかに、ＣＣＤなどの撮像素子を利用したカメラ機能や、地上波ディジタル放送などのテレビジョン放送を受信する機能を新たに付加するという提案がなされている。
カメラ機能を付加する提案の携帯端末装置は、画像に関する各種パラメータを任意に設定する画像パラメータ設定手段と、前記画像パラメータ設定手段により設定された画像パラメータに基づいて、カメラから入力される画像の加工処理を行う画像加工手段と、前記画像加工手段により加工処理された画像データを自電話の表示手段に表示する表示制御手段と、前記画像加工手段により加工処理された画像データを記憶する画像記憶手段と、を備えた構成になっている。この場合において、画像パラメータ手段は、画像データの圧縮率を任意に設定する構成になっている。圧縮などの加工処理がなされた画像データを記憶する画像記憶手段としては、ＲＡＭを使用する構成になっている。（特許文献１参照）
【０００３】
一方、テレビジョン放送を受信する機能を付加する提案の携帯型視聴装置は、地上波ディジタル放送を受信して符号化映像・音声データを取得するチューナと、符号化映像・音声データをメモリカード又は内蔵メモリに格納する手段と、メモリカード又は内蔵メモリから読み出した符号化映像・音声データおよびチューナから供給された符号化映像・音声データをデコードしてディスプレイ上に映像表示するとともに音声出力する手段と、電話機能部と、番組の視聴中に前記電話機能部で着信が生じたとき又はユーザが通話開始操作を行ったときに視聴中の番組の符号化映像・音声データを前記内蔵メモリに記録させる手段と、を備えた構成になっている。この構成により、電話による通話のために視聴中の番組で見られなかった部分が生じても、その部分については内蔵メモリへの録画処理が実行されていることになるので、後で視聴することが可能になる。着信時や通話開始操作時に符号化映像・音声データを記録する内蔵メモリとしては、ＳＤＲＡＭが用いられている。また、着信時や通話開始操作時以外の時は、装置に差し込まれたメモリカードに符号化映像・音声データを記録できる構成になっている。（特許文献２参照）
【特許文献１】特開２００２−２７１６７１号公報
【特許文献２】特開２００３−１１１００４号公報
【発明の開示】
【発明が解決しようとする課題】
【０００４】
カメラ機能を付加した通信端末装置においては、上記特許文献１に記載されているように、ＲＡＭなどのメモリに撮像した画像データを保存することができるが、通信網を介して受信したメールやその添付ファイルのデータの書込処理や再生処理のためにメモリが使用されている場合、あるいは、上記特許文献２のように、地上波ディジタル放送などのテレビジョン放送を受信する機能を持つ通信端末装置において、受信した画像データの書込処理や再生処理のためにメモリが使用されている場合には、カメラで撮像した画像データを保存することができない。このため、メモリに対する書込処理や再生処理が行われているときには、カメラに撮りたい場面に遭遇しても、撮った画像を保存できないので、結果的にはシャッターチャンスを逃すことになってしまう。
本発明は、上記従来の課題を解決するためのものであり、カメラ機能を持つ通信端末装置において、内部のメモリが他のデータの書込処理や再生処理のために使用されている場合でも、カメラで撮像した画像データを保存できるようにすることを目的とする。
また、本発明は、
【課題を解決するための手段】
【０００５】
請求項１記載の通信端末装置は、通信網を介して外部装置との間でデータの送受信を行う通信手段（実施形態においては、図１のＲＦブロック４に相当する）と、操作（実施形態においては、図１のスイッチ部９におけるシャッタースイッチのオン操作に相当する）に応じて撮像された被写体の画像データを入力する撮像手段（実施形態においては、図１のカメラ部１０に相当する）と、撮像手段から入力された画像データを所定の記憶手段（実施形態においては、図１のメモリ１１に相当する）に記憶する操作（実施形態においては、図１のスイッチ部９における保存スイッチのオン操作に相当する）がされたときに、記憶手段に対するデータの書込処理および読出処理が行なわれている場合には、入力された画像データを通信手段によって特定の外部装置（実施形態においては、パソコン、サーバ、指定の携帯電話に相当する）に転送する転送制御手段（実施形態においては、図１のＣＰＵ１に相当する）と、を備えた構成になっている。
【０００６】
請求項１の通信端末装置において、請求項２に記載したように、転送制御手段は、入力された画像データを転送する場合には、所定の表示手段（実施形態においては、図１の表示部１３に相当する）に複数の外部装置からなる転送先リスト（実施形態においては、図１０における画面の転送先リストに相当する）を表示し、操作（実施形態においては、図１のスイッチ部９におけるカーソルスイッチおよびＯＫスイッチの操作に相当する）によって選択された外部装置を入力された画像データの転送先として指定するような構成にしてもよい。
また、請求項１の通信端末装置において、転送制御手段は、入力された画像データのデータ量が記憶手段の記憶可能領域を超えている場合には、記憶手段に対する書込処理および読出処理が行なわれていない場合でも、撮像手段から入力された画像データを外部装置に転送するような構成にしてもよい。
【０００７】
請求項３に記載の信号処理のプログラムは、通信網を介して外部装置との間でデータの送受信を行う通信手段（実施形態においては、図１のＲＦブロック４に相当する）および操作（実施形態においては、図１のスイッチ部９におけるシャッタースイッチのオン操作に相当する）に応じて撮像された被写体の画像データを入力する撮像手段（実施形態においては、図１のカメラ部１０に相当する）を備えた通信端末装置における信号処理のプログラムであって、
所定の記憶手段（実施形態においては、図１のメモリ１１に相当する）に対するデータの書込処理および読出処理を行う第１のステップと、撮像手段から入力された画像データを記憶手段に記憶する操作（実施形態においては、図１のスイッチ部９における保存スイッチのオン操作に相当する）がされたときに、第１のステップによって記憶手段に対する書込処理又は読出処理が行なわれている場合には、入力された画像データを通信手段によって特定の外部装置（実施形態においては、パソコン、サーバ、指定の携帯電話に相当する）に転送する第２のステップとを実行する。なお、実施形態においては、第１のステップおよび第２のステップは、図１のＣＰＵ１の処理に相当する。
【０００８】
請求項３の信号処理のプログラムにおいて、請求項４に記載したように、第２のステップは、入力された画像データを転送する場合には、所定の表示手段（実施形態においては、図１の表示部１３に相当する）に複数の外部装置からなる転送先リスト（実施形態においては、図１０における画面の転送先リストに相当する）を表示し、操作（実施形態においては、図１のスイッチ部９におけるカーソルスイッチおよびＯＫスイッチの操作に相当する）によって選択された外部装置を入力された画像データの転送先として指定するような構成にしてもよい。
また、請求項３の信号処理のプログラムにおいて、第２のステップは、入力された画像データのデータ量が記憶手段の記憶可能領域を超えている場合には、記憶手段に対する書込処理および読出処理が行なわれていない場合でも、撮像手段から入力された画像データを外部装置に転送するような構成にしてもよい。
【発明の効果】
【０００９】
本発明の通信端末装置およびその信号処理のプログラムによれば、内部のメモリがカメラで撮像した画像データ以外のデータの書込処理や再生処理のために使用されている場合でも、カメラで撮像した画像データを保存できるという効果が得られる。
【発明を実施するための最良の形態】
【００１０】
以下、本発明による通信端末装置の実施形態について、携帯電話を例に採って図を参照して説明する。
図１は、実施形態における携帯電話の構成を示す概略のブロック図である。
図において、ＣＰＵ１は、ベースバンド信号処理のＤＳＰ（ディジタル・シグナル・プロセッサ）を内蔵したワンチップＩＣで構成されている。ＣＰＵ１のシステムバスには、ＲＯＭ２、ＲＡＭ３、ＲＦブロック４、チューナ５、ＯＦＤＭ復調部６、映像復号部７、音声復号部８、スイッチ部９、カメラ部１０、メモリ１１が接続されている。なお、図１において、点線で囲まれているチューナ５、ＯＦＤＭ復調部６、映像復号部７、および音声復号部８は、地上波ディジタル放送の映像・音声信号を取り込むテレビ受像部を構成している。また、ＣＰＵ１には、表示ドライバ１２を介して表示部１３が接続されているとともに、他のドライバ（図示せず）を介してマイク１３、スピーカ１６、イヤホン１７が接続されている。
【００１１】
ＲＯＭ２には、通信制御処理のプログラム、地上波ディジタル放送の受信処理や受信した映像信号を表示する表示処理および音声処理、受信した映像信号を録画する録画処理および再生処理などの信号処理のプログラム、イニシャライズにおけるデフォルト値などが格納されている。ＲＡＭ３は、ＣＰＵ１のワークエリアであり、ＣＰＵ１によって処理されるデータを一時的にストアするバッファエリア、各種のレジスタやフラグなどのエリア、表示部１３に表示すべき画面のデータをストアする表示エリアなどが設けられている。ＲＦブロック４は、電話通信網との間で電話やメールを送受信するための構成要素として、無線送受信部、無線信号処理部、音声信号処理部、加入者情報記憶部など（いずれも図示せず）を備えている。
【００１２】
チューナ５は、地上波ディジタル放送を受信して高周波増幅などの信号処理を行う。ＯＦＤＭ（直交周波数分割多重）復調部６は、チューナ５から得られるＯＦＤＭ変調された信号を復調する。ＯＦＤＭは、数百もの搬送波を用いた多搬送波変調方式であり、各搬送波が直交関係になっている。送信側すなわち放送局において、各搬送波に直並列変換した符号化データを割り当ててディジタル変調するので、通常のＦＤＭに比較して周波数利用効率が高くなる。ＯＦＤＭ復調部６は、このディジタル変調された信号を復調して、地上波ディジタル放送の映像（画像）および音声の符号化データを出力する。
【００１３】
映像復号部７は、ＯＦＤＭ復調部６から出力された映像の符号化データを復号してディジタル映像信号をＣＰＵ１に出力する。ＣＰＵ１は、表示ドライバ１２を介してそのディジタル映像信号を表示部１３に出力してテレビ画像を表示する。また、音声復号部８は、ＯＦＤＭ復調部６から出力された音声の符号化データを復号してディジタル音声信号をＣＰＵ１に出力する。ＣＰＵ１は、そのディジタル音声信号をアナログ信号に変換してスピーカ１６又はイヤホン１７に出力してテレビ音声を発生する。また、ＣＰＵ１はＲＦブロック４が着信を検知したときは、スピーカ１６によって着信報知を行う。
【００１４】
スイッチ部９は、携帯電話のためのオフフックスイッチ、オンフックスイッチ、発信スイッチ、カーソルスイッチ、ＯＫスイッチ、クリアスイッチ、数字スイッチなどのキースイッチ群で構成されており、その中のいくつかのスイッチが、テレビ用のテレビスイッチ、録画設定スイッチ、再生スイッチ、録画および再生の終了スイッチ、チャンネルスイッチ、カメラスイッチ、シャッタースイッチ、保存スイッチ、転送先スイッチなどと兼用されている。マイク１３は、通話処理においてユーザの音声を電気信号に変換してＣＰＵ１に入力する。カメラ部１０は、レンズ、ＣＣＤ、バッファなどで構成され、カメラスイッチがオンされるとＣＣＤによってレンズからの画像を撮像し、シャッタスイッチがオンされると、撮像した画像データをバッファにストアする。
【００１５】
メモリ１１は、不揮発性の半導体メモリおよび着脱可能なメモリカードの複合デバイスからなり、ＣＰＵ１のアドレス管理によってデータの記憶エリアが指定される。例えば、ＲＦブロック４によって送受信されるメールのデータについては、主に半導体メモリが担う記憶エリアに記憶し、地上波ディジタル放送の映像信号および音声信号のデータ並びにカメラ部１０で撮像されたデータについては、主にメモリ容量の大きなメモリカードが担う記憶エリアに録音する。ただし、いずれの記憶エリアにデータを記憶するかは、各記憶エリアの空き領域の分布状態などにより随時決定される。このため、映像信号および音声信号のデータ又はメールのデータの書込処理又は読出処理のために、メモリ１１が使用されているときは、カメラ部１０で撮像した画像データをメモリ１１に保存することはできない。
【００１６】
この携帯電話は、ＣＰＵ１などの電子部品やスイッチ部９を収容する本体と、表示部１３、カメラ部１０などを収容する蓋部とが、ヒンジなどによって開閉可能な折りたたみ機構・電源制御スイッチ１８（以下、総称して「折りたたみスイッチ」という）を具備している。電源ＩＣ１９は、充電池２０からの電圧に応じて、この携帯電話の各部に電圧を供給する。ＣＰＵ１は、電源ＩＣ１９から出力される電圧を検出して、電圧が低下したときは、表示部１３に出力する映像信号の画質を制御する。ＡＣアダプタ２１は、ＡＣ電源を所定電圧のＤＣ電源に変換して充電池２０を充電する。
【００１７】
なお、電源ＩＣ１９は、チューナ５、ＯＦＤＭ復調部６、映像復号部７、および音声復号部８からなるテレビ受像部、カメラ部１０、表示部１３、およびＣＰＵ１を含むその他の各部に対して４系統の電圧を供給し、スイッチ部９や折りたたみスイッチの操作およびＣＰＵ１の制御によって、テレビ受像部、カメラ部１０、表示部１３に供給する電圧をそれぞれ独立してオン又はオフに設定することができる。オン又はオフに設定する処理については後述する。
【００１８】
次に、この携帯電話における電話およびメールの送受信の動作、並びに、地上波ディジタル放送受信および録画・再生の動作について、ＣＰＵ１によって実行されるフローチャートおよび表示部１３の画面に基づいて説明する。図２ないし図９は、メインルーチンのフローチャートである。
まず、所定のイニシャライズを行って（ステップＳＡ１）、ＲＡＭ３の表示エリアに待受画面の画像データをストアする（ステップＳＡ２）。そして、折りたたみスイッチが開になったか否かを判別し（ステップＳＡ３）、このスイッチが開になったときは、表示部１３を点灯する（ステップＳＡ４）。表示部１３を点灯したときは、ＲＡＭ３の表示エリアにストアされている待受画面が表示ドライバ１２を介して表示部１３に転送されて表示される。
【００１９】
次に、オフフックスイッチが操作されたか否かを判別し（ステップＳＡ５）、このスイッチが操作されたときは、電話番号入力画面を表示する（ステップＳＡ６）。そして、スイッチ部９の操作によって電話番号の入力がされたか否かを判別し（ステップＳＡ７）、電話番号が入力されたときは電話網に対して発信する（ステップＳＡ８）。また、スピーカ１６によって呼出報知を行う（ステップＳＡ９）。この呼出報知の間に、発信に応答して被呼側との間に回線接続が確立したか否かを判別し（ステップＳＡ１０）、回線接続が確立したときは、通話処理に遷移して音声信号の送受信を行う（ステップＳＡ１１）。
【００２０】
通話処理においては、オンフックスイッチが操作されたか否かを判別し（ステップＳＡ１２）、このスイッチが操作されたときは、回線切断などの終話処理を行う（ステップＳＡ１３）。終話処理の後は、再び表示エリアに待受画面の画像データをストアする（ステップＳＡ１４）。ステップＳＡ７において電話番号の入力がない場合には、クリアスイッチがオンされたか否かを判別し（ステップＳＡ１５）、このスイッチがオンされたときは、ステップＳＡ１４に移行して、表示エリアに待受画面の画像データをストアして、ステップＳＡ３に移行して折りたたみスイッチの開閉を判別する。
【００２１】
ステップＳＡ３において、折りたたみスイッチが開から閉になったときは、表示部１３を消灯する（ステップＳＡ１６）。このとき、フラグＲＦが「１」であるか「０」であるかによって録画中であるか又は録画中でないかを判別する（ステップＳＡ１７）。ＲＦが「０」で録画中でない場合には、チューナ５、ＯＦＤＭ復調部６、映像復号部７、音声復号部８で構成されるテレビ受像部がオン状態であるか否かを判別し（ステップＳＡ１８）、オン状態である場合には、テレビ受像部をオフ状態にする（ステップＳＡ１９）。そして、表示エリアに待受画面の画像データをストアして（ステップＳＡ２０）、ステップＳＡ３に移行して折りたたみスイッチの開閉を判別する。
【００２２】
ステップＳＡ５において、オフフックスイッチが操作されない場合には、図３のフローチャートにおいて、テレビスイッチがオンされたか否かを判別し（ステップＳＡ２１）、このスイッチがオンされたときは、テレビ受像部をオンにする（ステップＳＡ２２）。次に、テレビ受像部からの映像を表示部１３に表示し（ステップＳＡ２３）、テレビ受像部からのテレビ音声をスピーカ１６へ出力する（ステップＳＡ２４）。そして、テレビスイッチがオフされたか否かを判別し（ステップＳＡ２５）、このスイッチがオフでない場合には、ステップＳＡ２３に移行してテレビ受像部からの映像を表示部１３に表示する。テレビスイッチがオフされたときは、テレビ受像部をオフにして（ステップＳＡ２６）、ＲＡＭ３の表示エリアに待受画面の画像データをストアする（ステップＳＡ２７）。そして、図２のステップＳＡ３に移行して折りたたみスイッチの開閉を判別する。
【００２３】
ステップＳＡ２１において、テレビスイッチがオンでない場合には、図４のフローチャートにおいて、録画設定スイッチがオンされたか否かを判別する（ステップＳＡ２８）。このスイッチがオンされたときは、表示部１３に録画設定画面を表示する（ステップＳＡ２９）。すなわち、録画時間（録画開始時刻および録画終了時刻）およびチャンネルを設定する画面を表示する。そして、スイッチ部９の操作に応じて録画時間およびチャンネルの設定処理を行う（ステップＳＡ３０）。次に、設定を確定するＯＫスイッチがオンされたか否かを判別し（ステップＳＡ３１）、このスイッチがオンされたときは、フラグＴＦを「１」にセットする（ステップＳＡ３２）。ＯＫスイッチがオンされない場合は、クリアスイッチがオンされたか否かを判別し（ステップＳＡ３３）、このスイッチがオンされたときは、設定している録画時間およびチャンネルをクリアする（ステップＳＡ３４）。フラグＴＦを「１」にセットした後、又は、録画時間およびチャンネルをクリアした後は、ＲＡＭ３の表示エリアに待受画面の画像データをストアする（ステップＳＡ３５）。そして、図２のステップＳＡ３に移行して折りたたみスイッチの開閉を判別する。
【００２４】
ステップＳＡ２８において、録画設定スイッチがオンでない場合には、図５のフローチャートにおいて、再生スイッチがオンされたか否かを判別し（ステップＳＡ３６）、このスイッチがオンされたときは、フラグＴＦが「０」かつフラグＲＦが「０」であるか否かを判別する（ステップＳＡ３７）。すなわち、録画設定中でなく、かつ録画中でないかどうかを判別する。ＴＦが「０」かつＲＦが「０」である場合には、さらに録画データがあるか否かを判別する（ステップＳＡ３８）。録画データがある場合には、再生処理を行う（ステップＳＡ３９）。そして、再生された映像を表示部１３に表示し（ステップＳＡ４０）、再生された音声をスピーカ１６に出力する（ステップＳＡ４１）。そして、終了スイッチがオンされたか否かを判別し（ステップＳＡ４２）、このスイッチがオンでない場合には、再生終了か否かを判別する（ステップＳＡ４３）。終了スイッチがオンされたとき又は再生終了の場合には、再生停止処理を行い（ステップＳＡ４４）、表示エリアに待受画面の画像データをストアする（ステップＳＡ４５）。そして、図２のステップＳＡ３に移行して折りたたみスイッチの開閉を判別する。
【００２５】
ステップＳＡ３６において、再生スイッチがオンでない場合、ステップＳＡ３７において、ＴＦが「１」で録画設定中若しくはＲＦが「１」で録画中である場合、又は、ステップＳＡ３８において録画データがなく、警告報知（ステップＳＡ４６）を行った後は、図６のフローチャートに移行して、カメラスイッチがオンされたか否かを判別し（ステップＳＡ４７）、オンされたときは、カメラ部１０をオンにする（ステップＳＡ４８）。また、フラグＣＦを「１」にセットする（ステップＳＡ４９）。そして、図２のステップＳＡ３に移行して、折りたたみスイッチの開閉を判別する。
【００２６】
ステップＳＡ４７において、カメラスイッチがオンでない場合には、ＣＦが「１」であるか否かを判別し（ステップＳＡ５０）、ＣＦが「１」である場合には、カメラスイッチがオフされたか否かを判別する（ステップＳＡ５１）。このスイッチがオフされたときは、ＣＦを「０」にリセットして（ステップＳＡ５２）、カメラ部１０をオフにする（ステップＳＡ５３ａ）。次に、表示エリアに待受画面の画像データをストアする（ステップＳＡ５３ｂ）。そして、図２のステップＳＡ３に移行して、折りたたみスイッチの開閉を判別する。
【００２７】
ステップＳＡ４９においてＣＦを「１」にセットした後、又は、ステップＳＡ５１においてカメラスイッチがオフでない場合には、図７のフローチャートにおいて、カメラ部１０からの映像を表示エリアにストアする（ステップＳＡ５４）。次に、シャッタースイッチがオンされたか否かを判別し（ステップＳＡ５５）、このスイッチがオンされたときは、カメラ部１０からの映像をバッファにストアし、バッファの内容を表示エリアにストアする（ステップＳＡ５６）。この後、保存スイッチがオンされたか否かを判別し（ステップＳＡ５７）、このスイッチがオンされたときは、フラグＲＦが「１（録画中）」であるか又はフラグＭＦが「１」であるか否かを判別する（ステップＳＡ５８）。ＭＦはメール受信を検知したときに「１」にセットされるフラグである。
【００２８】
ＲＦ又はＭＦが「１」である場合には、映像信号および音声信号のデータ又はメールのデータの書込処理又は読出処理のために、メモリ１１が使用されている状態である。この場合には、表示部１３に「外部保存するか？」のメッセージをカメラ映像の画面に重ねて表示する（ステップＳＡ５９）。この後、所定のスイッチによってＹＥＳ操作がされたか否かを判別し（ステップＳＡ６０）、ＹＥＳ操作がされたときは、フラグＸＦが「１」であるか否かを判別する（ステップＳＡ６１ａ）。ＸＦが「１」である場合には、指定外部装置への転送処理を実行して（ステップＳＡ６１ｂ）、ＸＦを「０」にリセットする（ステップＳＡ６１ｃ）。後述するように、ＸＦは転送先の外部装置が指定されている場合に「１」にセットされるフラグである。ステップＳＡ６１ａにおいてＹＥＳ操作がされない場合には、所定のスイッチによってＮＯ操作がされたか否かを判別し（ステップＳＡ６２）、ＮＯ操作がされたときは、表示部１３に「保存できません」のメッセージをカメラ映像の画面に重ねて表示する（ステップＳＡ６３）。
【００２９】
ステップＳＡ５８において、ＲＦおよびＭＦが「０」である場合には、メモリ１１が使用されていない状態である。この場合には、カメラ部１０のバッファの内容すなわち撮像された画像データをメモリ１１にストアする（ステップＳＡ６４）。ステップＳＡ５７において、保存スイッチがオンでない場合には、クリアスイッチがオンされたか否かを判別する（ステップＳＡ６５）。このスイッチがオンされたときは、カメラ部１０のバッファの内容をクリアする（ステップＳＡ６６）。
【００３０】
ステップＳＡＳ６５において、クリアスイッチがオンされていない場合には、ステップＳＡ５５においてシャッタースイッチがオンされたか否かを判別する。シャッタースイッチがオンされない場合には、クリアスイッチがオンされたか否かを判別する（ステップＳＡ６７）。シャッタースイッチがオンされる前にクリアスイッチがオンされたときは、表示エリアに待受画面をストアして（ステップＳＡ６８）、ＣＦを「０」にリセットする（ステップＳＡ６９）。そして、図２のステップＳＡ３に移行して、折りたたみスイッチの開閉を判別する。
【００３１】
ステップＳＡ６１ｃにおいてフラグＸＦをリセットした後、ステップＳＡ６３において表示部１３に「保存できません」のメッセージをカメラ映像の画面に重ねて表示した後、ステップＳＡ６６においてカメラ部１０のバッファの内容をクリアした後、又は、ステップＳＡ５５においてシャッタースイッチがオンされず、かつ、ステップＳＡ６７においてクリアスイッチもオンされない場合には、いずれも図６のステップＳＡ４９においてＣＦが「１」であるか否かを判別する。
【００３２】
図６のステップＳＡ５０においてＣＦが「０」である場合、又は、図７のステップＳＡ６１ａにおいてＸＦが「０」である場合には、図８のフローチャートにおいて、転送先スイッチがオンされたか否かを判別し（ステップＳＡ７０ａ）、このスイッチがオンされたときは、フラグＸＦを「１」にセットして（ステップＳＡ７０ｂ）、表示部１３の画面においてカメラ部１０からの画像に重ねて転送先リストを表示する（ステップＳＡ７１）。転送先リストには、図１０に示すように、複数の外部装置として、パソコン、データの保存を委託できるサーバ、知人その他の指定携帯電話などが表示される。そして、１つの転送先にフォーカスする（ステップＳＡ７２）。例えば、図１０に示すように、最初のリストであるパソコンの表示を反転する。
【００３３】
次に、カーソルスイッチがオンされたか否かを判別し（ステップＳＡ７３）、このスイッチがオンされたときは、フォーカス位置を移動する（ステップＳＡ７４）。フォーカス位置を移動した後、又は、カーソルスイッチがオンでない場合には、ＯＫスイッチがオンされたか否かを判別し（ステップＳＡ７５）、このスイッチがオンされたときは、フォーカス位置にある転送先を指定転送先とする（ステップＳＡ７６）。この後は、図７のステップＳＡ６１ａに移行して、ＸＦが「１」であるか否かを判別する。ステップＳＡ７５において、ＯＫスイッチがオンでない場合には、クリアスイッチがオンされたか否かを判別する（ステップＳＡ７７ａ）。クリアスイッチがオンでない場合には、ステップＳＡ７３においてカーソルスイッチのオンを判別するが、クリアスイッチがオンされたときは、ＸＦを「０」にリセットして（ステップＳＡ７７ｂ）、表示エリアに待受画面の画像データを表示する（ステップＳＡ７８）。そして、図２のステップＳＡ３に移行して、折りたたみスイッチの開閉を判別する。
【００３４】
ステップＳＡ７０ａにおいて、転送先スイッチがオンでない場合には、図９のフローチャートにおいて、メールスイッチがオンされたか否かを判別し（ステップＳＡ７９）、このスイッチがオンされたときは、表示部１３にメールリストを表示する（ステップＳＡ８０）。そして、リストの１つにフォーカスする（ステップＳＡ８１）。次に、カーソルスイッチがオンされたか否かを判別し（ステップＳＡ８２）、このスイッチがオンされたときは、フォーカス位置を移動する（ステップＳＡ８３）。フォーカス位置を移動した後、又は、カーソルスイッチがオンでない場合には、ＯＫスイッチがオンされたか否かを判別し（ステップＳＡ８４）、このスイッチがオンされたときは、フォーカス位置が新規作成であるか否かを判別する（ステップＳＡ８５）。
【００３５】
フォーカス位置が新規作成である場合には、メールを作成し、送信スイッチに応じて送信処理を行う（ステップＳＡ８６）。フォーカス位置が新規作成でない場合には、その他のメール処理を行う（ステップＳＡ８７）。また、ステップＳＡ８４において、ＯＫスイッチがオンでない場合には、クリアスイッチがオンされたか否かを判別する（ステップＳＡ８８）。クリアスイッチがオンでない場合には、ステップＳＡ８２においてカーソルスイッチのオンを判別する。ステップＳＡ８６において新規作成のメールの送信処理を行った後、ステップＳＡ８７においてその他のメール処理を行った後、ステップＳＡ８８においてクリアスイッチがオンされたとき、又は、ステップＳＡ７９においてメールスイッチがオンでない場合にその他の処理（ステップＳＡ９０）を行った後は、表示エリアに待受画面の画像データを表示する（ステップＳＡ８９）。そして、図２のステップＳＡ３に移行して、折りたたみスイッチの開閉を判別する。
【００３６】
図１１は、タイマインタラプトのフローチャートである。一定時間（例えば、１００ｍｓｅｃ）ごとのタイマインタラプトに応じて現時刻を取得する（ステップＳＢ１）。そして、取得した時刻が前回の時刻から変化したか否かを判別する（ステップＳＢ２）。例えば、時刻変化の最小単位を１分とする。したがって、前回のタイマインタラプトの時刻から１分が経過したときに変化があったと判別する。変化がない場合にはメインルーチンに戻るが、変化があったときは、フラグＴＦが「１」すなわち録画設定中であるか否かを判別する（ステップＳＢ３）。ＴＦが「１」の場合には、取得した現時刻が録画開始時刻に達したか否かを判別する（ステップＳＢ４）。現時刻が録画開始時刻に達していない場合には、メインルーチンに戻る。
【００３７】
現時刻が録画開始時刻に達したときは、テレビ受像部をオンにして（ステップＳＢ５）、録画のフレームレートを１秒間に２４フレームに設定する（ステップＳＢ６）。そして、録画処理を開始して（ステップＳＢ７）、表示エリアに録画中画面をストアする（ステップＳＢ８）。また、ＴＦを「０」にリセットし、ＲＦを「１」すなわち録画中にセットする（ステップＳＢ９）。そして、メインルーチンに戻る。
【００３８】
ステップＳＢ３において、ＴＦが「０」である場合には、ＲＦが「１」であるか否かを判別する（ステップＳＢ１０）。ＲＦが「０」で録音中でない場合にはメインルーチンに戻るが、ＲＦが「１」で録音中である場合には、取得した現時刻が録画終了時刻に達したたか否かを判別する（ステップＳＢ１１）。録画終了時刻に達していない場合にはメインルーチンに戻るが、録画終了時刻に達したときは、録音時間をクリアし（ステップＳＢ１２）、テレビ受像部をオフにし（ステップＳＢ１３）、録画処理を終了する（ステップＳＢ１４）。また、フラグＲＦを「０」にリセットする（ステップＳＢ１５）。そして、表示エリアに待受画面の画像データをストアして（ステップＳＢ１６）、メインルーチンに戻る。
【００３９】
図１２は、着信検知処理のフローチャートである。ＲＦブロック４によって電話の着信を検知したときは、テレビ受像部がオンで地上波ディジタル放送を受信中であるか、又は、録画した映像信号の再生中であるか判別する（ステップＳＣ１）。受信中又は再生中である場合には、スピーカ１６又はイヤホン１７への音声出力を停止する（ステップＳＣ２）。音声出力を停止した後、又は、受信中および再生中のいずれでもない場合には、スピーカ１４又はイヤホン１５およびサブ表示部１４による着信報知を行う（ステップＳＣ４）。次に、フラグＲＦが「０」であるか否かを判別し（ステップＳＣ５）、ＲＦが「０」で録画中でない場合には、オフフック操作がされたか否かを判別し（ステップＳＣ６）、オフフック操作がされたときは、着信報知を停止して発呼側との回線接続を行って通話処理に遷移する（ステップＳＣ７）。
【００４０】
通話処理においては、オンフック操作がされたか否かを判別し（ステップＳＣ８）、オンフック操作がされたときは、回線切断などの終話処理を行う（ステップＳＣ９）。次に、表示エリアの着信画面を消去する（ステップＳＣ１０）。さらに、テレビ受像部がオンで地上波ディジタル放送を受信中であるか、又は、録画した映像信号の再生中であるか判別する（ステップＳＣ１１）。受信中又は再生中である場合には、音声出力を再開する（ステップＳＣ１２）。音声出力を再開した後、又は、受信中および再生中のいずれでもない場合には、ＲＦが「１」であるか否かを判別し（ステップＳＣ１３）、ＲＦが「１」である場合には、録画の一時停止状態であるか否かを判別する（ステップＳＣ１４）。録画の一時停止状態である場合には、録画処理を再開して（ステップＳＣ１５）、メインルーチンに戻る。
【００４１】
ステップＳＣ５において、ＲＦが「１」である場合には、オフフックスイッチの押下によってオフフック操作が開始されたか否かを判別し（ステップＳＣ１６）、この操作が開始されたときは、タイマカウントをスタートする（ステップＳＣ１７）。この後は、オフフックスイッチの押下解除によってオフフック操作が終了したか否かを判別し（ステップＳＣ１８）、オフフック操作が終了しない間において、タイマ値が所定値以上になったか否かを判別する（ステップＳＣ１９）。タイマ値が所定値である場合には、ステップＳＣ１８においてオフフック操作終了を判別するが、タイマ値が所定値以上になったときは、一時的に録画停止処理を行って（ステップＳＣ２０）、確認音を報知する（ステップＳＣ２１）。そして、ステップＳＣ７の通話処理に遷移する。
【００４２】
図１３は、メール着信処理のフローチャートである。ＲＦブロック４によってメール着信を検知したときは、フラグＭＦを「１」にセットして（ステップＳＤ１）、表示エリアに着信画面を表示する（ステップＳＤ２）。次に、メール受信が終了したか否かを判別し（ステップＳＤ３）、メール受信が終了したときは、そのメールをメモリ１１にストアする（ステップＳＤ４）。この後、メール着信を報知し（ステップＳＤ５）、一定時間が経過したか否かを判別し（ステップＳＤ６）、経過したときは、ＭＦを「０」にリセットする（ステップＳＤ７）。そして、メインルーチンに戻る。
【００４３】
以上のように、この実施形態によれば、ＣＰＵ１は、カメラ部１０から入力された画像データをメモリ１１に保存する操作がされたときに、メモリ１１に対するデータの書込処理および読出処理が行なわれている場合、例えば、受信したメールのデータ又は地上波ディジタル放送から受信した映像のデータの書込処理および読出処理が行なわれている場合には、入力された画像データをＲＦブロック４によってパソコン、サーバ、指定の携帯電話などの特定の外部装置に転送する。したがって、カメラ部１０で撮像した画像データ以外のデータの書込処理や再生処理のためにメモリ１１が使用されている場合でも、カメラ部１０で撮像した画像データを保存できる。
【００４４】
この場合において、ＣＰＵ１は、カメラ部１０から入力された画像データを転送する場合には、表示部１３に複数の外部装置からなる転送先リストを表示し、ユーザの操作によって選択された外部装置を入力された画像データの転送先として指定する。
【００４５】
なお、上記実施形態においては、メモリ１１に対するデータの書込処理および読出処理が行なわれている場合に、カメラ部１０から入力された画像データを転送するような構成にしたが、他の実施形態として、カメラ部１０から入力された画像データのデータ量がメモリ１１の記憶可能領域を超えている場合には、メモリ１１に対するデータの書込処理および読出処理が行なわれていない場合でも、入力された画像データを特定の外部装置に転送するような構成にしてもよい。
【００４６】
なお、上記実施形態においては、ＲＯＭ２にあらかじめ記憶されている信号処理のプログラムをＣＰＵ１が実行する通信端末装置の発明について説明したが、ＲＦブロック４によってネットワークを介して外部のサーバなどからダウンロードされた信号処理のプログラムをインストールし、そのプログラムをＣＰＵ１が実行するような構成も可能である。この場合には、プログラムの発明を実現する。
【００４７】
すなわち、そのプログラムは、通信網を介して外部装置との間でデータの送受信を行う通信手段および操作に応じて撮像された被写体の画像データを入力する撮像手段を備えた通信端末装置における信号処理のプログラムであって、
所定の記憶手段に対するデータの書込処理および読出処理を行う第１のステップと、撮像手段から入力された画像データを記憶手段に記憶する操作がされたときに、第１のステップによって記憶手段に対する書込処理又は読出処理が行なわれている場合には、入力された画像データを前記通信手段によって特定の外部装置に転送する第２のステップとを実行する。
【００４８】
この場合において、第２のステップは、入力された画像データを転送する場合には、所定の表示手段に複数の外部装置からなる転送先リストを表示し、操作によって選択された外部装置を入力された画像データの転送先として指定する。
【図面の簡単な説明】
【００４９】
【図１】本発明の通信端末装置の実施例における携帯電話の構成を示すブロック図。
【図２】本発明の実施形態における携帯電話の動作を示すＣＰＵのメインルーチンのフローチャート。
【図３】図２に続くＣＰＵのメインルーチンのフローチャート。
【図４】図３に続くＣＰＵのメインルーチンのフローチャート。
【図５】図４に続くＣＰＵのメインルーチンのフローチャート。
【図６】図５に続くＣＰＵのメインルーチンのフローチャート。
【図７】図６に続くＣＰＵのメインルーチンのフローチャート。
【図８】図６および図７に続くＣＰＵのメインルーチンのフローチャート。
【図９】図８に続くＣＰＵのメインルーチンのフローチャート。
【図１０】図１の表示部における転送先リストの画面を示す図。
【図１１】ＣＰＵのタイマインタラプトのフローチャート。
【図１２】ＣＰＵの着信検知のフローチャート。
【図１３】ＣＰＵのメール着信検知のフローチャート。
【符号の説明】
【００５０】
１  ＣＰＵ
２  ＲＯＭ
３  ＲＡＭ
４  ＲＦブロック
５  チューナ
６  ＯＦＤＭ復調部
７  映像復号部
８  音声復号部
９  スイッチ部
１０  カメラ
１１  メモリ
１２  表示ドライバ
１３  表示部
１５  マイク
１６  スピーカ
１７  イヤホン
１８  折りたたみ機構・電源制御スイッチ
１９  電源ＩＣ
２０  充電池
２１  ＡＣアダプタ
【図１】
2005109815.tif 000003
【図２】
2005109815.tif 000004
【図３】
2005109815.tif 000005
【図４】
2005109815.tif 000006
【図５】
2005109815.tif 000007
【図６】
2005109815.tif 000008
【図７】
2005109815.tif 000009
【図８】
2005109815.tif 000010
【図９】
2005109815.tif 000011
【図１０】
2005109815.tif 000012
【図１１】
2005109815.tif 000013
【図１２】
2005109815.tif 000014
【図１３】
2005109815.tif 000015